(57)【特許請求の範囲】
【請求項１】
液体洗剤を収容する容器に取り付けて使用し、対象物に液体洗剤の泡沫を吹き付けるための洗浄用泡沫吹付け機であって、
空気を送出する空気送出部と、
前記空気送出部の送気口と連通し、多数の微細な放出孔を有する泡沫発生部と、
容器を外部と連通させる噴出管と、を備え、
前記泡沫発生部は、容器内に液体洗剤の液面より下方に配置され、前記空気送出部からの空気を前記放出孔により細かく分散して放出して、液体洗剤に泡沫を発生させ、
前記噴出管は、入口が容器内に液体洗剤の液面より上方に配置され、発生した泡沫はその出口を介して外部に噴出し、
前記空気送出部を収容する筐体を備え、
前記筐体は、使用者が握るための筒状のハンドル部を有し、
前記筐体は、前記ハンドル部と、前記ハンドル部と９０度以上の角度を成す横筒部と、前記横筒部と直交する縦筒部とを有し、
前記空気送出部の本体である電池を電力源とするエアポンプは、前記縦筒部に収容される
ことを特徴とする洗浄用泡沫吹付け機。
【請求項２】
請求項１に記載の洗浄用泡沫吹付け機であって、
前記空気送出部の送気口と前記泡沫発生部とを連通させる送気管に逆止弁が設けられている
ことを特徴とする洗浄用泡沫吹付け機。
【請求項３】
請求項１または２に記載の洗浄用泡沫吹付け機であって、
前記噴出管に電磁弁が設けられている
ことを特徴とする洗浄用泡沫吹付け機。
【請求項４】
請求項１〜３のいずれか一項に記載の洗浄用泡沫吹付け機であって、
前記電池は、前記ハンドル部に収容される
ことを特徴とする洗浄用泡沫吹付け機。
【請求項５】
請求項１〜４のいずれか一項に記載の洗浄用泡沫吹付け機であって、
前記縦筒部の下端には、容器を取り付けるためのキャップが着脱可能に接続される
ことを特徴とする洗浄用泡沫吹付け機。
【請求項６】
請求項１〜５のいずれか一項に記載の洗浄用泡沫吹付け機であって、
前記横筒部の前端には、ノズルが着脱可能に接続される
ことを特徴とする洗浄用泡沫吹付け機。
【請求項７】
液体洗剤を収容する容器を有し、対象物に液体洗剤の泡沫を吹き付けるための洗浄用泡沫吹付け機であって、
空気を送出する空気送出部と、
前記空気送出部の送気口と連通し、多数の微細な放出孔を有する泡沫発生部と、
前記容器を外部と連通させる噴出管と、を備え、
前記泡沫発生部は、前記容器内に液体洗剤の液面より下方に配置され、前記空気送出部からの空気を前記放出孔により細かく分散して放出して、液体洗剤に泡沫を発生させ、
前記噴出管は、入口が前記容器内に液体洗剤の液面より上方に配置され、発生した泡沫はその出口を介して外部に噴出し、
前記空気送出部を収容する筐体を備え、
前記筐体は、使用者が握るための筒状のハンドル部を有し、
前記筐体は、前記ハンドル部と、前記ハンドル部と９０度以上の角度を成す横筒部と、前記横筒部と直交する縦筒部とを有し、
前記空気送出部の本体である電池を電力源とするエアポンプは、前記縦筒部に収容される
ことを特徴とする洗浄用泡沫吹付け機。
【請求項８】
請求項７に記載の洗浄用泡沫吹付け機であって、
前記容器は、ペットボトルである
ことを特徴とする洗浄用泡沫吹付け機。
【発明の詳細な説明】
【技術分野】
【０００１】
本発明は、洗浄用泡沫吹付け機に関する。
【背景技術】
【０００２】
洗車等の際に液体洗剤を泡立てて車等に噴射する機器がある。このような機器には据付型洗車機に組み込まれる大型のものや、人手で操作するガンタイプのものがある。そのうち、ガンタイプの洗浄用泡沫吹付け機（フォームガン）には、外部からのエアコンプレッサーや水圧を用いた高圧式のものと、簡易のハンディタイプの蓄圧式のものがある。
【０００３】
蓄圧式の洗浄用泡沫吹付け機では、例えば、特許文献１に記載のような手動のポンプを用いて、手動で圧力を高める。
【先行技術文献】
【特許文献】
【０００４】
【特許文献１】特開２００１−３２８５１２号公報
【発明の概要】
【発明が解決しようとする課題】
【０００５】
手動で圧力を高める蓄圧式の洗浄用泡沫吹付け機は、容器内の圧力を高めるために相当のポンピングが必要となり苦労する。また、泡を噴射させるために必要な圧力も高く、すぐ噴射が途切れてしまう。
【０００６】
本願発明は、上記課題の少なくとも一つを解決し、蓄圧操作を不要とし、途切れることなく噴射が可能なハンディタイプの洗浄用泡沫吹付け機を提供することを目的とする。
【課題を解決するための手段】
【０００７】
上述した少なくとも１つの課題を解決するために、本願発明の一方面に係る洗浄用泡沫吹付け機は、液体洗剤を収容する容器に取り付けて使用し、対象物に液体洗剤の泡沫を吹き付けるための洗浄用泡沫吹付け機であって、空気を送出する空気送出部と、前記空気送出部の送気口と連通し、多数の微細な放出孔を有する泡沫発生部と、容器を外部と連通させる噴出管と、を備え、前記泡沫発生部は、容器内に液体洗剤の液面より下方に配置され、前記空気送出部からの空気を前記放出孔により細かく分散して放出して、液体洗剤に泡沫を発生させ、前記噴出管は、入口が容器内に液体洗剤の液面より上方に配置され、発生した泡沫はその出口を介して外部に噴出する。
【０００８】
上記洗浄用泡沫吹付け機において、前記空気送出部は、電池を電力源とするエアポンプを含んで構成されてもよい。
【０００９】
上記洗浄用泡沫吹付け機において、前記空気送出部の送気口と前記泡沫発生部とを連通させる送気管に逆止弁が設けられていてもよい。
【００１０】
上記洗浄用泡沫吹付け機において、前記噴出管に電磁弁が設けられていてもよい。
【００１１】
上記洗浄用泡沫吹付け機において、前記空気送出部を収容する筐体を備え、前記筐体は、使用者が握るための筒状のハンドル部を有してもよい。
【００１２】
上記洗浄用泡沫吹付け機において、前記筐体は、前記ハンドル部と、前記ハンドル部と９０度以上の角度を成す横筒部と、前記横筒部と直交する縦筒部とを有し、前記空気送出部の本体である電池を電力源とするエアポンプは、前記縦筒部に収容されてもよい。
【００１３】
上記洗浄用泡沫吹付け機において、前記電池は、前記ハンドル部に収容されてもよい。
【００１４】
上記洗浄用泡沫吹付け機において、前記縦筒部の下端には、容器を取り付けるためのキャップが着脱可能に接続されてもよい。
【００１５】
上記洗浄用泡沫吹付け機において、前記横筒部の前端には、ノズルが着脱可能に接続されてもよい。
【００１６】
上述した少なくとも１つの課題を解決するために、本願発明の一方面に係る洗浄用泡沫吹付け機は、液体洗剤を収容する容器を有し、対象物に液体洗剤の泡沫を吹き付けるための洗浄用泡沫吹付け機であって、空気を送出する空気送出部と、前記空気送出部の送気口と連通し、多数の微細な放出孔を有する泡沫発生部と、前記容器を外部と連通させる噴出管と、を備え、前記泡沫発生部は、前記容器内に液体洗剤の液面より下方に配置され、前記空気送出部からの空気を前記放出孔により細かく分散して放出して、液体洗剤に泡沫を発生させ、前記噴出管は、入口が前記容器内に液体洗剤の液面より上方に配置され、発生した泡沫はその出口を介して外部に噴出する。
【００１７】
上記洗浄用泡沫吹付け機において、前記容器は、ペットボトルであってもよい。
【発明の効果】
【００１８】
本願発明によれば、蓄圧操作を不要とし、途切れることなく噴射が可能なハンディタイプの洗浄用泡沫吹付け機を提供することができる。
【００１９】
上記した以外の課題、構成及び効果は、以下の実施形態の説明により明らかにされる。
【図面の簡単な説明】
【００２０】
【図１】本願発明に係る洗浄用泡沫吹付け機を説明するための模式図である。
【図２】本願発明に係る洗浄用泡沫吹付け機の実施形態の例を示す図である。
【図３】本願発明に係る洗浄用泡沫吹付け機の実施形態の例を示す図である。
【発明を実施するための形態】
【００２１】
以下に本願発明の実施形態の例を図面を用いて説明する。本願において、構成要素等の形状、位置関係等に言及する場合は、特に明示した場合及び原理的に明らかにそうでないと考えられる場合等を除き、実質的にその形状等に近似または類似するもの等を含むものとする。
【００２２】
図１は、本願発明に係る洗浄用泡沫吹付け機を説明するための模式図である。洗浄用泡沫吹付け機１は、車等の対象物に液体洗剤の泡沫を吹き付けるための洗浄用泡沫吹付け機である。本願において、液体洗剤は、車等に用いられる液体の洗浄剤であればよく、界面活性剤等を含む市販の液体の洗剤、このような洗剤に所定の割合で水を加えたもの（洗剤水）等を含む。また、固形のタブレット状の洗剤等を使用してもよく、このような洗剤と所定量の水を直接容器Ａに入れて液体洗剤として用いてもよいし、このような洗剤を事前に所定量の水で洗剤水としたものを液体洗剤として用いてもよい。
【００２３】
洗浄用泡沫吹付け機１は、空気を送出する空気送出部１０と、空気送出部１０の送気口と連通し、多数の微細な放出孔を有する泡沫発生部２０と、容器Ａを外部と連通させる噴出管３０と、を備える。
【００２４】
空気送出部１０は、空気を送り出す装置を含んで構成される。空気を送り出す装置は、一例として、後述のようにエアポンプである。空気を送り出す装置は、一例として、ファンを利用した送風機や、ブロワー等である。また、圧縮空気を収容した高圧ガスボンベ等でもよい。
【００２５】
泡沫発生部２０は、気体を通す多数の微細な放出孔（隙間）を有する多孔質材（体）を含んで構成される。泡沫発生部２０は、容器Ａ内に液体洗剤Ｂの液面より下方に配置される。泡沫発生部２０は、一例として、金属ないし焼結金属やセラミックス等によるエアストーンで構成される。泡沫発生部２０は、一例として、気体を通す多数の放出孔（連通気孔）を有するサイレンサー（消音器）で構成される。サイレンサーに用いられる多孔質材は、スポンジ等樹脂によるものでもよいし、金属ないし焼結金属やセラミックス等によるものでもよい。泡沫発生部２０は、一例として、編目ないし網目構造を有するもの、例えば、布等の編み物、金属や樹脂製の網（ネット、メッシュ）等によるものを含んで構成される。
【００２６】
噴出管３０は、入口が容器Ａ内の液体洗剤Ｂの液面より上方に配置され、出口が外部と連通して、容器Ａを外部と連通させる。
【００２７】
洗浄用泡沫吹付け機１は、一例として、液体洗剤Ｂを収容する容器Ａを含んで使用者に提供される。洗浄用泡沫吹付け機１は、容器Ａを含まないで使用者に提供され、使用者自らが容器Ａを用意し洗浄用泡沫吹付け機１に取り付けて使用してもよい。
【００２８】
図示のように、使用状態において、容器Ａは、液体洗剤Ｂを収容する。空気送出部１０から送り出された空気は、送気管４０を介して泡沫発生部２０に送り込まれ、泡沫発生部２０の多数の微細な放出孔により細かく分散して液体洗剤Ｂに放出されて、液体洗剤Ｂが空気を含んで膨れた泡を発生する。液体洗剤Ｂからきめ細かな泡がどんどん発生し、液面に浮上して泡沫となり、上昇して、噴出管３０の出口を介して勢いよく外部に飛び出す。
【００２９】
洗浄用泡沫吹付け機１は、このように空気送出部１０から空気を送り出し、泡沫発生部２０により送り込まれた空気を細かく分散し放出して液体洗剤Ｂに泡沫を発生させるため、泡沫を発生させるための高い圧力を不要とする。そのため、手動による蓄圧操作を不要とし、途切れることなく噴射が可能なハンディタイプの洗浄用泡沫吹付け機を構成できる。
【００３０】
図２は、本願発明に係る洗浄用泡沫吹付け機の実施形態の例を示す図で、図２（ａ）は洗浄用泡沫吹付け機の一部分解斜視図、図２（ｂ）は筐体部分の平面図、図２（ｃ）は筐体部分の右側面図である。各図において、Ｘは前後方向、Ｙは上下方向、Ｚは厚み方向（奥行）を示す（図３において同じ）。洗浄用泡沫吹付け機１は、空気送出部１０を収容する筐体５０を備える。噴出管３０も筐体５０に収容される。ここでは、まず、主として筐体５０について説明する。
【００３１】
筐体５０は、使用者が握るためのハンドル部５１と、ハンドル部５１と９０度以上の角度を成す横筒部５２と、横筒部５２と直交する縦筒部５３とを有する。筐体５０は、ハンドル部５１、横筒部５２及び縦筒部５３がそれぞれ筒形状をなし、連続している。より具体的には、ハンドル部５１と横筒部５２とで略Ｌ字形状をなし、両者の間に角部５４が形成される。また、横筒部５２と縦筒部５３とで略十字形状をなし、両者の間に交差部５５が形成される。交差部５５は、横筒部５２の一部であるとともに、縦筒部５３の一部でもある。筐体５０は、このように構成することで、製造しやすく、他の構成部分を収容ないし装着しやすくなる。
【００３２】
筐体５０は、例えば樹脂材料を用いて成形して製造される。好ましくは、筐体５０の成形は、後述の電池蓋５１１以外の本体部分が、図２（ｂ）、図２（ｃ）に示すように厚み方向の中心線で分割して２つの部分で行われる。２つの部分は、それぞれ別途成形された後、他の構成部分を収容ないし装着してから螺子等の締結部材または接着剤等で互いに固着される。電池蓋５１１は別途成形され、着脱可能に本体部分に組み合わせられる。
【００３３】
ハンドル部５１は、角に丸みを有する若干扁平な略角筒形状である。ハンドル部５１は、後述の電池１２を着脱可能に装着するための電池蓋５１１を有する。電池蓋５１１は、上下端以外の部分の断面が略円弧形状である。
【００３４】
横筒部５２は、見かけ上（外観上）、縦筒部５３により略中央において分断され、ハンドル部５１側の後方筒部５２２と、反対側の前方筒部５２１を有する。後方筒部５２２は、略角筒形状で、断面形状がハンドル部５１と略同じである。前方筒部５２１は、全体として先細りする筒形状で、前端の断面形状が略円形状である。前方筒部５２１は、前端に開口を有し、噴出管３０の出口３２はその内方に収容される。
【００３５】
縦筒部５３は、見かけ上、横筒部５２により下端寄りの位置において貫通され、横筒部５２よりも上方に位置する上方筒部５３１と、反対側の下方筒部５３２を有する。縦筒部５３は、略円筒形状である。上方筒部５３１は、前方に貫通孔が設けられ、空気送出部１０の吸気口１１１がその内方に収容される、又は貫通孔を挿通して外部に突出する。下方筒部５３２は、下端の内方にキャップ接続部８１が設けられる。
【００３６】
キャップ接続部８１は、キャップ８２を下方筒部５３２に接続するものであればよく、特に限定されない。一例として、キャップ接続部８１は、下方筒部５３２の下端から下方に突出するように設けられ、突出部分の外周面にねじ山が設けられる。キャップ接続部８１は、このねじ山により、内周面にねじ山を有するキャップ８２と螺合して接続する。キャップ８２の内方にねじ山を有する部材を別途設けてキャップ接続部８１と螺合して接続するようにしてもよい。
【００３７】
キャップ８２は、略円筒状の部材で、上端寄りの部分で前述のようにキャップ接続部８１を介して下方筒部５３２と着脱可能に接続し、下端寄りの部分で容器Ａの口部と着脱可能に接続する。キャップ８２は、下端寄りの部分の内周面にねじ山が設けられ、このねじ山で容器Ａの口部の外周面のねじ山と螺合して接続する。キャップ８２とキャップ接続部８１との接続部分、キャップ８２と容器Ａの口部との接続部分等にはＯリングが設けられる。
【００３８】
キャップ８２は、容器Ａの口部の口径やねじ山の形状等に応じて複数備えられ、様々な規格の容器Ａを取り付けられるようになっていてもよい。
【００３９】
送気管４０は、空気送出部１０と接続する側の上方送気管４１と、泡沫発生部２０と接続する側の下方送気管４２を有する。上方送気管４１の出口は、キャップ接続部８１を貫通してキャップ８２の内方に到達する。図示のように、噴出管３０の入口３１も、キャップ接続部８１を貫通してキャップ８２の内方に到達する。
【００４０】
下方送気管４２は、一端で上方送気管４１と接続し、他端で泡沫発生部２０と接続する。下方送気管４２と泡沫発生部２０は、上方送気管４１を介して筐体５０に装着され、容器Ａ内に配置される。
【００４１】
図３は、本願発明に係る洗浄用泡沫吹付け機の実施形態の例を示す図である。筐体については前述の通りであり、ここでは詳細な説明を省略する。
【００４２】
空気送出部１０は、空気を送り出す装置としてエアポンプ１１を含んで構成される。エアポンプ１１は、例えば、ダイヤフラム式の、電池を電力源とする小型のもので、３Ｖ〜２４Ｖの電池で稼働でき、静圧が３０ｋＰａ〜６０ｋＰａ程度である。このような小型のエアポンプ１１で空気送出部１０を構成するため、本実施形態の洗浄用泡沫吹付け機１は、図示のように、容器Ａとしてペットボトル（ＰＥＴ製の瓶状の容器で飲料等に用いられるもの）を使用できる。
【００４３】
より具体的には、ペットボトルは、容易に入手でき、軽く割れにくいものの、炭酸飲料用以外は耐圧性をほとんど備えておらず、高圧式や蓄圧式の洗浄用泡沫吹付け機に用いることはできない。例えば、高圧式では５００ｋＰａ以上の圧力が必要とされ、蓄圧式で泡を噴射させるためには３００ｋＰａ〜６００ｋＰａ程度の圧力が必要とされる。一方、洗浄用泡沫吹付け機１は、このような高圧を与えないため、ペットボトルを容器Ａとして使用できる。
【００４４】
これにより、より安価で簡便な洗浄用泡沫吹付け機を提供できる。また、ペットボトルの口部は、業界規格があり、口径やねじ山の形状が決まっているため、キャップ８２を構成しやすく、一つのキャップ８２で形状やメーカーが異なる多数の容器に対応できる。また、規格に応じた数種類のキャップ８２を備えれば、ほとんどのペットボトルに対応できるようになり、例えば、車等の対象物の大きさや汚れの程度に応じて、容量が異なるものを適宜取り換えて洗浄を行うことができる。
【００４５】
空気送出部１０は、本体としてのエアポンプ１１と、エアポンプ１１内の駆動源のモータに給電する電池１２と、給電をオン／オフするスイッチ１３を含む。エアポンプ１１、電池１２及びスイッチ１３は、図示しないリード線により電気的に接続され、スイッチ１３によりエアポンプ１１への給電がオン／オフできるようになっている。
【００４６】
エアポンプ１１は、筐体５０の縦筒部５３に収容される。より具体的には、エアポンプ１１は、縦筒部５３の上方筒部５３１又は上方筒部５３１から交差部５５にかけて、吸気口１１１が前方に、送気口１１２が下方に向くように縦筒部５３内に収容される。なお、上方筒部５３１は、リード線を配置しやすいように拡張部５３３を有しもよい。
【００４７】
エアポンプ１１は、モータを内蔵しているため、比較的に重い。エアポンプ１１をキャップ８２の真上に配置して容器Ａの真上となるようにすることで、洗浄用泡沫吹付け機１は、バランスが取れて自立し、倒れないようになる。また、手で持って作業するときも扱いやすくなる。また、上方送気管４１が短くなり配置しやすくなる。
【００４８】
電池１２は、乾電池等の一次電池でもよいし、二次電池でもよい。電池１２は、筐体５０のハンドル部５１に収容される。なお、電池１２は、エアポンプ１１の近くに、例えば後方筒部５２２内に収容されてもよい。
【００４９】
スイッチ１３は、一例として、図示のように、ロッカスイッチである。スイッチ１３は、トリガースイッチやプッシュスイッチ等でもよい。スイッチ１３は、筐体５０の角部５４に配置される。角部５４に設けることで、手で直接握らないので誤操作を回避でき、指が届くので片手で操作できる。
【００５０】
泡沫発生部２０は、気体を通す多数の微細な放出孔を有する多孔質材（体）を含んで構成され、例えば、スポンジ等の樹脂製の多孔質材を含んで構成される。泡沫発生部２０は、下方送気管４２に着脱可能に接続され、容器Ａ内に液体洗剤Ｂの液面より下方に配置される。好ましくは、図示のように容器Ａの底部に配置される。泡沫発生部２０は、対象物や液体洗剤等に合わせて、放出孔の大きさが異なるものや材質が異なるものに適宜取り換えられてもよい。
【００５１】
泡沫発生部２０は、送気管４０を介して空気送出部１０の送気口１１２と連通する。送気管４０は、例えば直径が３ｍｍ〜８ｍｍ、より好ましくは４ｍｍ〜６ｍｍ程度の樹脂製の管である。上方送気管４１は、交差部５５及び下方筒部５３２内で上下に延在し、キャップ接続部８１を貫通してキャップ８２内、即ち容器Ａの口部Ａ１内に到達する。上方送気管４１の下端は、キャップ８２の下端から突出してもよいが、好ましくは、図示のように、キャップ８２の下端から突出せず、上方送気管４１と下方送気管４２との接続部分がキャップ８２内（容器Ａの口部Ａ１内）にある。下方送気管４２は、容器Ａ内で上下に延在し、下端で泡沫発生部２０と接続する。
【００５２】
図示のように、下方送気管４２に逆流を防止するための逆止弁６０が設けられてもよい。より具体的には、下方送気管４２は、第１下方送気管４２１と第２下方送気管４２２を有し、両者の間に逆止弁６０が接続される。これにより、エアポンプ１１をオフにした際に、下方送気管４２内に液体洗剤Ｂが流入するのを防止することができる。
【００５３】
噴出管３０は、容器Ａ内に液体洗剤Ｂの液面より上方に配置される。噴出管３０は、キャップ接続部８１を貫通し、入口３１がキャップ８２内（容器Ａの口部Ａ１内）に到達する。噴出管３０は、キャップ８２の下端から突出してもよいが、好ましくは、図示のように、キャップ８２の下端から突出しないようになっている。
【００５４】
図示のように、ノズル７０が前方筒部５２１の前端に接続される。より具体的には、前方筒部５２１の前端の内方に略筒状のノズル接続部８３が設けられ、噴出管３０の出口３２がその内方と連通するように接続される。ノズル接続部８３の内周面にはねじ山が設けられ、ノズル７０は後端外周面に設けられたねじ山でこれと螺合して前方筒部５２１に着脱可能に接続される。ノズル７０とノズル接続部８３との接続部分等にはＯリングが設けられる。
【００５５】
ノズル７０は、ストレート型のものでもよいし、フラット型のものでもよい。ノズル７０は、スプレーヘッドのような拡散型のノズルでもよい。ノズル７０は、対象物や液体洗剤等に合わせて様々な規格のものに適宜取り換えられてもよい。
【００５６】
本実施形態の洗浄用泡沫吹付け機１は、スイッチ１３がオンされると、エアポンプ１１が送気管４１、４２を介して泡沫発生部２０に空気を送出する。そして、泡沫発生部２０が送入された空気を多数の微細な放出孔（隙間）により細かく分散して放出する。そうすると、液体洗剤Ｂが空気を含んで膨れた泡を発生する。液体洗剤Ｂからきめ細かな泡がどんどん発生し、液面に浮上して泡沫となり、上昇して、噴出管３０を介して、ノズル７０から噴出する。スイッチ１３がオフされると、エアポンプ１１が空気を送出しなくなり、泡沫発生部２０が放出孔から空気を放出しなくなって、泡沫の発生が止まる。
【００５７】
本実施形態の洗浄用泡沫吹付け機１は、上記のように構成することで、手動による蓄圧操作を不要とし、途切れることなく泡沫を噴出することができる。
【００５８】
また、本実施形態の洗浄用泡沫吹付け機１は、空気を送出するエアポンプ１１、これに給電する電池１２を含む空気送出部１０全体を、噴出管３０、上方送気管４１とともにコンパクトな筐体５０内に収容するため、携帯することができ、様々な場所で使用することができる。
【００５９】
なお、洗浄用泡沫吹付け機１は、さらに、泡沫の噴出をオン／オフするための電磁弁を備えてもよい。スイッチ１３がオフされ、空気の送出が停止しても、容器Ａ内の泡沫が暫らく噴出するが、噴出管３０に電磁弁を設けることで、このような泡沫の噴出を止めることができる。この電磁弁は、例えば噴出管３０の経路上に設けることができる。
【００６０】
また、洗浄用泡沫吹付け機１は、エアポンプ１１のモータを制御するためのモータ制御部を備えてもよい。モータ制御部は、例えばマイコンで構成される。これにより、モータの回転速度を制御し、エアポンプ１１が送出する空気の風圧や風量を調整できるようになる。
【００６１】
なお、洗浄用泡沫吹付け機１は、洗車以外にも、食器や野菜などの洗浄に用いられてもよいし、浴槽等の洗浄に用いられてもよい。
【００６２】
また、洗浄用泡沫吹付け機１は、泡沫発生部２０を取外し、下方送気管４２を噴出管３０の入口３１に接続し、容器Ａ内に水等の液体を入れて、液体噴射機として使用してもよい。
【００６３】
洗浄用泡沫吹付け機１は、下方送気管４２及び泡沫発生部２０を取外し、何も入れていない容器Ａを取り付けて、洗車後、車に付着した水滴を吹き飛ばすブロワー等として使用してもよい。キーボードに付着した埃を飛ばしたりして家庭内の掃除用に用いてもよい。
【００６４】
洗浄用泡沫吹付け機１は、下方送気管４２及び泡沫発生部２０を取外し、吸気口１１１に吸引用の管を接続して、眞空ポンプとして使用してもよい。噴出管３０の入口３１と吸気口１１１を連通させて掃除の際の液体の吸引に使用してもよい。容器Ａを取外し、エアポンプ１１のモータを逆回転させて、送気管４１を吸引管とする眞空ポンプとして使用してもよい。
【００６５】
なお、上記の記載に基づいて、当業者であれば、本願発明の追加の効果や種々の変形を想到できるかもしれないが、本願発明の態様は、上述した実施形態の例に限定されるものではない。特許請求の範囲に規定された内容及びその均等物から導き出される本願発明の概念的な思想と趣旨を逸脱しない範囲で種々の追加、変更及び部分的削除が可能である。
【符号の説明】
【００６６】
１        洗浄用泡沫吹付け機
１０      空気送出部
１１      エアポンプ
１２      電池
１３      スイッチ
２０      泡沫発生部
３０      噴出管
４０      送気管
４１      上方送気管
４２      下方送気管
５０      筐体
５１      ハンドル部
５２      横筒部
５３      縦筒部
６０      逆止弁
７０      ノズル
８２      キャップ
Ａ        容器
Ｂ        液体洗剤
【要約】
【課題】  蓄圧操作を不要とし、途切れることなく噴射が可能なハンディタイプの洗浄用泡沫吹付け機を提供する。
【解決手段】  液体洗剤を収容する容器に取り付けて使用し、対象物に液体洗剤の泡沫を吹き付けるための洗浄用泡沫吹付け機であって、空気を送出する空気送出部と、前記空気送出部の送気口と連通し、多数の微細な放出孔を有する泡沫発生部と、容器を外部と連通させる噴出管と、を備え、前記泡沫発生部は、容器内に液体洗剤の液面より下方に配置され、前記空気送出部からの空気を前記放出孔により細かく分散して放出して、液体洗剤に泡沫を発生させ、前記噴出管は、入口が容器内に液体洗剤の液面より上方に配置され、発生した泡沫はその出口を介して外部に噴出する、洗浄用泡沫吹付け機。
【選択図】図３【図１】
0006882813.tif 000002
【図２】
0006882813.tif 000003
【図３】
0006882813.tif 000004